(57)【要約】      （修正有）【課題】放電管を光源とする照明装置の照度不足を補完し、十分な照度を得ることができるばかりでなく、総合的な設備コストの低減も実現し得る照明装置を提供する。【解決手段】磁性体で形成された板状の基台３と長手方向が基台３の長手方向に沿うとともに、Ｕ字状に成形して基台３に取り付けたＣＣＦＬ管１Ａ、１Ｂと前記長手方向に関する基台３の中心線に沿い直線状に配設した複数のＬＥＤ素子からなるＬＥＤバーライト２とＣＣＦＬ管１Ａ、１Ｂの長手方向に伸びる中心線と直交する方向で隣接するようにＣＣＦＬ管１Ａ、１Ｂの端部から突出する一対の電極ピン１０Ａ、１０Ｂと電極ピン１０Ａ、１０Ｂを介してＣＣＦＬ管１Ａ、１Ｂに所定の電圧を印加するとともに、電極ピン１０Ａ、１０Ｂに前記長手方向で隣接して配設したＣＣＦＬ管１Ａ、１Ｂの励起回路を含むＣＣＦＬ管用電源７Ａ、７Ｂと前記ＬＥＤ素子を励起する直流電圧を印加するＬＥＤ用電源８とを有する。【選択図】図１
0003224797.tif 000002
【実用新案登録請求の範囲】
【請求項１】
磁性体で形成された板状の基台と、長手方向が前記基台の長手方向に沿うとともに、Ｕ字状に成形して前記基台に取り付けた放電管と、前記長手方向に関する前記基台の中心線に沿い直線状に配設した複数のＬＥＤ素子からなるＬＥＤ照明部と、前記放電管の長手方向に伸びる中心線と直交する方向で隣接するように前記放電管の端部から突出する一対の電極ピンと、前記電極ピンを介して前記放電管に所定の電圧を印加するとともに、前記電極ピンに前記長手方向で隣接して配設した前記放電管の励起回路を含む放電管用電源と前記ＬＥＤ素子を励起する直流電圧を印加するＬＥＤ用電源とを有することを特徴とする照明装置。
【請求項２】
請求項１に記載する照明装置において、
前記放電管および前記ＬＥＤ照明部は、前記基台の一方の面に配設するとともに、前記放電管用電源とＬＥＤ用電源とは前記基台の他方の面に配設し、さらに前記放電管と放電管用電源およびＬＥＤ照明部とＬＥＤ用電源とは、途中が前記基台を貫通して前記基台の前記一方の面から前記他方の面側に折り返した配線によりそれぞれ接続したことを特徴とする照明装置。
【請求項３】
請求項１または請求項２に記載する照明装置において、
前記放電管のＵ字状の頂部が相対向するとともに、同一中心線上に配設された2個の放電管と、
各放電管に対応させて各電極ピンに前記長手方向で隣接して配設した2個の放電管用電源とを有することを特徴とする照明装置。
【請求項４】
請求項１〜請求項３のいずれか一つに記載する照明装置において、
前記放電管と前記ＬＥＤ照明部の外周側を覆うカバーを設け、該カバーの外周面に抗菌剤をコーティングした抗菌コーティング層を形成したことを特徴とする照明装置。
【考案の詳細な説明】
【技術分野】
【０００１】
本考案は照明装置に関し、放電管の照度不足を補完するため、放電管を用いた照明装置に、ＬＥＤ素子を直線状に並べたＬＥＤ照明部を組み合わせたものである。
【背景技術】
【０００２】
照明装置として蛍光管を光源とする照明装置が多用されている。かかる照明装置を用いる場合であって、照度が不足する場合には、１）光源である蛍光管の数を増やす、２）蛍光管を光源とする照明装置自体の数を増やす等の対策により対処している。
【０００３】
ところが、照明装置一台当たりの蛍光管の数を増やすのは限界があり、また照明装置自体の数を増やすのは、設備コストの面から合理的ではない場合が多い。すなわち、コストの観点から問題がある。
【０００４】
一方、最近、照明装置としてＬＥＤ素子を直線状に並べたＬＥＤバーライトを光源とするものが提案されている（例えば特許文献１参照）。そこで、従来の蛍光管を光源とする照明装置の照度不足をＬＥＤバーライトで補完することが考えられる。しかしながら、蛍光管を含む放電管を光源とする照明装置と、ＬＥＤバーライトを光源とする照明装置とを組み合わせて放電管を光源とする照明装置の照度不足を補完するという思想は、未だ提案されていない。
【０００５】
また、照明装置として抗菌効果を有するもの（特許文献２参照）も提案されている。これは電位と紫外線を発生する放電管で形成した発光部の外周側を覆うカバーに抗菌効果を有するコーティング層を形成し、発光部が発生する電位と紫外線により、コーティング層から陽イオンと光触媒作用による活性酸素が発生し、空間および対象物に存在するウィルス・有害菌などを死滅させる効果を利用したものである。したがって、この場合の発光部は例えばＣＣＦＬ（Cold Cathode Fluorescent  Lamp：冷陰極管）等の放電管でなければならない。すなわち、発光部をＬＥＤ単体で構成した照明装置では抗菌効果を発揮させることはできない。
【先行技術文献】
【特許文献】
【０００６】
【特許文献１】特開２０１７−１９９６３８号公報
【特許文献２】実用新案登録第３２１２４６３号公報
【考案の概要】
【考案が解決しようとする課題】
【０００７】
本考案は、上記従来技術に鑑み、放電管を光源とする照明装置の照度不足を補完し、十分な照度を得ることができるばかりでなく、総合的な設備コストの低減も実現し得る照明装置を提供することを目的とする。
【課題を解決するための手段】
【０００８】
上記目的を達成する本考案の構成は、次の知見を基礎とするものである。まず、かかる知見を図２（ａ）および図２（ｂ）に基づき説明する。図２は放電管の一種である蛍光管と、複数のＬＥＤ素子を直線状に配設して構成した照明部であるＬＥＤバーライトとを単に組み合わせただけの照明装置IIを示す模式図で、図２（ａ）は照明装置IIを一方の側（例えば下方側）から見た模式図、図２（ｂ）は前記照明装置IIを他方の側（例えば上方側）から見た模式図である。なお、説明の便宜のため、図中の左右方向をＸ軸方向、これに直角な方向をＹ軸方向とする。
【０００９】
図２（ａ）に示すように、照度不足を補完するためには、当該照明装置IIの光源を、例えば並行に並べた２本のＣＣＦＬ管０１Ａ，０１ＢとＬＥＤバーライト０２とを単純に組み合わせて構成すれば良い。かかる構成によりＣＣＦＬ管０１Ａ，０１Ｂの照度にバーライト０２の照度が加重された照度の照明装置IIとなるからである。
【００１０】
２本のＣＣＦＬ管０１Ａ，０１Ｂは、長手方向に関する複数個所（図では５個所）で板状の基台０３の一方の面（下面；以下同じ）に支持片０５Ａ，０５Ｂを介して固定されている。また、ＬＥＤバーライト０２は基台０３の一方の面に反射板０４介して直接固定されている。
【００１１】
一方、かかる照明装置IIの電源系統は、図２（ｂ）に示すように、交流電源に接続されるコンセント０６と、基台０３の他方の面（上面；以下同じ）にＸ軸方向に並べて配設されたＣＣＦＬ用電源０７およびＬＥＤ用電源０８とで構成してある。ここで、ＣＣＦＬ用電源０７は、電源電圧を所定の高電圧に昇圧するＡＣ／ＡＣインバータと、当該ＡＣ／ＡＣインバータで昇圧した高電圧に基づき所定の高周波数の電圧を生成するＣＣＦＬ励起電源とを兼備する電源である。また、ＬＥＤ用電源０８は、交流の電源電圧を所定の直流電圧に変換するＡＣ／ＤＣインバータである。
【００１２】
ＣＣＦＬ用電源０７およびＬＥＤ用電源０８は配線０９Ａ，０９Ｂによりそれぞれコンセント０６に接続してある。ＣＣＦＬ管０１Ａはその両端部からＸ軸方向に突出する電極ピン０１０Ａ，０１０Ｂを有しており、図中左端の電極ピン０１０Ａが配線０１２Ａにより、また図中右端の電極ピン０１０Ｂが配線０１２ＢによりそれぞれＣＣＦＬ用電源０７に接続されている。かくして、電極ピン０１０Ａ，０１０Ｂ間には、ＣＣＦＬ用電源０７で生成された高圧・高周波数の電圧が印加される。
【００１３】
同様に、ＣＣＦＬ管０１Ｂも、それぞれの両端部から長手方向に突出する電極ピン０１１Ａ，０１１Ｂを有しており、図中左端の電極ピン０１１Ａが配線０１３Ａにより、また図中右端の電極ピン０１１Ｂが配線０１３ＢによりそれぞれＣＣＦＬ用電源０７に接続されている。かくして、電極ピン０１１Ａ，０１１Ｂ間には、ＣＣＦＬ用電源０７で生成された高圧・高周波数の電圧が印加される。すなわち、配線０１２Ａはブッシング０１５Ａを貫通することにより、配線０１２Ｂはブッシング０１５Ｂを貫通することにより、基台０３のＸ軸方向に関する両端部で、基台０３の上面側から下面側へ折り返されている。同様に、配線０１３Ａはブッシング０１６Ａを貫通することにより、配線０１３Ｂはブッシング０１６Ｂを貫通することにより、基台０３のＸ軸方向に関する両端部で、基台０３の上面側から下面側へ折り返されている。
【００１４】
配線０１４Ａはブッシング０１７Ａを貫通することにより、配線０１４Ｂはブッシング０１７Ｂを貫通することにより、基台０３の上面側から下面側へ折り返され、下面側でＬＥＤバーライト０２の電極（図示せず）に接続されている。かくして、ＬＥＤ用電源０８で生成した所定の直流電圧が、ＬＥＤバーライト０２に印加される。この結果、ＬＥＤバーライト０２をＣＣＦＬ管０１Ａ，０１Ｂの照度を補完する照明部として利用し得る。
【００１５】
なお、ブッシング０１５Ａ，０１５Ｂ，０１６Ａ，０１６Ｂ，０１７Ａ，０１７Ｂは、可撓性の部材からなり、基台０３のＸ軸方向に関する両端部に形成した孔に嵌入されている。
【００１６】
また、図2に示す例では照明装置IIにおけるＣＣＦＬ管０１Ａ，０１Ｂの数は２本、ＬＥＤバーライトの数は１本としたがこれらの数は、図2に示すものに限定するものではない。要求される照度に応じて適宜選定すれば良い。
【００１７】
ところで、かかる照明装置IIの開発の過程において、ＬＥＤバーライト０２の長手方向に関する複数部位で照度の明暗を生起することが分かった。すなわち、ＣＣＦＬ管０１Ａ，０１Ｂの長手方向に関し照度のばらつきに起因する明暗部が形成されてしまう。
【００１８】
そこで、原因について種々検討した。この結果、配線０１２Ａ，０１２Ｂ，０１３Ａ，０１３Ｂに乗る高周波成分やノイズが磁性体である基台０３との相互作用で形成する磁界の影響がＣＣＦＬ管０１Ａ，０１Ｂに及んでいることが主な原因であることが分かった。特に配線０１２Ｂ、０１３Ｂの寸法が長く、磁性体である基台０３と相対抗する領域も大きい場合、ＣＣＦＬ管０１Ａ，０１Ｂの点灯状態に大きな影響を与えていると考えられる。また、配線０１２Ａ，０１２Ｂ，０１３Ａ，０１３Ｂに乗る高周波成分やノイズはＬＥＤバーライト０２のちらつき等、ＬＥＤバーライト０２の点灯性能の悪化の原因ともなることが判明した。
【００１９】
そこで、ＣＣＦＬ用電源０７やＬＥＤ用電源０８等の電源と、ＣＣＦＬ管０１Ａ、０１ＢやＬＥＤバーライト０２等の負荷との間の配線、特に高周波数の高圧電流が流れる配線０１２Ａ，０１２Ｂ，０１３Ａ，０１３Ｂの寸法を可及的に短縮することが肝要であるとの知見を得た。
【００２０】
なお、かかる影響は基台０３を磁性体でない部材で形成すれば問題はないが、当該照明装置IIの放熱・強度の点およびコストの点を考慮すれば、磁性体である鋼材を使用せざるを得ない。また、反射板０４も同様に磁性体でないことが望ましい。
【００２１】
本考案は、上記目的を達成するに当たり、磁界等の影響によるＣＣＦＬ管の部分的な明暗部の発生を可及的に回避し得るよう工夫したものであり、次の点をその要旨とするものである。
【００２２】
上記目的を達成する本考案の第１の態様は、磁性体で形成された板状の基台と、長手方向が前記基台の長手方向に沿うとともに、Ｕ字状に成形して前記基台に取り付けた放電管と、前記長手方向に関する前記基台の中心線に沿い直線状に配設した複数のＬＥＤ素子からなるＬＥＤ照明部と、前記放電管の長手方向に伸びる中心線と直交する方向で隣接するように前記放電管の端部から突出する一対の電極ピンと、前記電極ピンを介して前記放電管に所定の電圧を印加するとともに、前記電極ピンに前記長手方向で隣接して配設した前記放電管の励起回路を含む放電管用電源と、前記ＬＥＤ素子を励起する直流電圧を印加するＬＥＤ用電源とを有することを特徴とする。
【００２３】
本考案の第２の態様は、第１の態様に記載する照明装置において、前記放電管および前記ＬＥＤ照明部は、前記基台の一方の面に配設するとともに、前記放電管用電源とＬＥＤ用電源とは前記基台の他方の面に配設し、さらに前記放電管と放電管用電源およびＬＥＤ照明部とＬＥＤ用電源とは、途中が前記基台を貫通して前記基台の前記一方の面から前記他方の面側に折り返した配線によりそれぞれ接続したことを特徴とする。
【００２４】
本考案の第３の態様は、第１または第２の態様に記載する照明装置において、
前記放電管のＵ字状の頂部が相対向するとともに、同一中心線上に配設された２個の放電管と、各放電管に対応させて各電極ピンに前記長手方向で隣接して配設した2個の放電管用電源とを有することを特徴とする。
【００２５】
本考案の第４の態様は、第１〜第３の態様のいずれか一つに記載する照明装置において、前記放電管と前記ＬＥＤ照明部の外周側を覆うカバーを設け、該カバーの外周面に抗菌剤をコーティングした抗菌コーティング層を形成したことを特徴とする。
【考案の効果】
【００２６】
本考案によれば、ＣＣＦＬ管等の放電管とＬＥＤバーライトとを組み合わせたので、総合的な照度は両者の照度を重畳したものとなり、放電管の照度不足を適宜補完して適切な照度の照明装置とすることができる。また、放電管をＵ字状に成形して端部の電極ピン間の寸法を小さくし、電極ピンに接続される高周波数電流が流れる配線を可及的に短くしたので、磁性体である基台に生成される磁界を小さくすることができる。この結果、放電管の長手方向に関する各部位の照度のばらつきによる明暗部の発生等を有効に防止することができる。
【００２７】
さらに、放電管が電位と紫外線を発生するので、照明部の外周側を覆うカバーに抗菌コーティング層を塗布した場合には、抗菌効果を発生させることもできる。
【図面の簡単な説明】
【００２８】
【図１】本考案の実施の形態に係る照明装置の概要を示す模式図である。
【図２】本考案の開発途中の照明装置の概要を示す模式図である。
【考案を実施するための形態】
【００２９】
以下、本考案の実施の形態を、図面に基づき詳細に説明する。
【００３０】
図１は本考案の実施の形態に係る照明装置を示す図で、図１（ａ）が本形態に係る照明装置を一方の側（例えば下方側）から見た模式図、図１（ｂ）が本形態に係る照明装置を他方の側（例えば上方側）から見た模式図、図１（ｃ）が本形態に係る照明装置を図１（ｂ）の右側から見た状態で示す模式図である。なお、説明の便宜のため、図中の左右方向をＸ軸方向、これに直角な方向をＹ軸方向、両方に直角な方向をＺ軸方向とする。
【００３１】
本形態に係る照明装置Ｉは放電管の一種であるＣＣＦＬ管１Ａ，１Ｂと、複数のＬＥＤ素子を直線状に配設して構成した照明部であるＬＥＤバーライト２とを組み合わせて構成したものである。かかる構成によりＣＣＦＬ管１Ａ，１Ｂの照度にバーライト２の照度が加重された照度の照明装置Ｉとなる。
【００３２】
本形態におけるＣＣＦＬ管１Ａ，１Ｂは、Ｕ字状に成形して基台３に取り付けてある。さらに詳言すると、板状の基台３に、その長手方向（Ｘ軸方向）に沿うように複数個所（図ではそれぞれ4個所）で基台３の一方の面（下面；以下同じ）に支持片５Ａ，５Ｂを介して固定されている。ここで、本形態では２個のＣＣＦＬ管１Ａ，１ＢのＵ字状の頂部を相対向させて基台３の同一中心線上に沿い配設してある。
【００３３】
さらに、ＣＣＦＬ管１ＡはＹ軸方向で隣接するようにＣＣＦＬ管１Ａの端部（図１（ａ）中、左端部）からＸ軸方向に突出する一対の電極ピン１０Ａ，１０Ｂを有しており、電極ピン１０Ａ，１０Ｂ間に所定の高周波数の高電圧を印加することにより発光する。同様に、ＣＣＦＬ管１ＢはＹ軸方向で隣接するようにＣＣＦＬ管１Ｂの端部（図１（ａ）中、右端部）からＸ軸方向に突出する一対の電極ピン１１Ａ，１１Ｂを有しており、電極ピン１１Ａ，１１Ｂ間に所定の高周波数の高電圧を印加することにより発光する。
【００３４】
ＬＥＤバーライト２は、基台３のＸ軸方向の中心線に沿い、その一方の面に、反射板４介して直接固定されており、そのＸ軸方向に関する左右両端部に形成された電極（図示せず）に所定の直流電圧を印加することにより発光する。
【００３５】
なお、基台３は磁性体である冷間圧延鋼材（SPCC）を用いており、反射板４は、非磁性体で反射効率を高めた超微細発泡光反射板（MCPET）で形成してある。
【００３６】
一方、かかる照明装置Ｉの電源系統は、図１（ｂ）に示すように、交流電源に接続されるコンセント６と、基台３の他方の面（上面；以下同じ）にＸ軸方向に並べて配設されたＣＣＦＬ用電源７Ａ，７ＢおよびＬＥＤ用電源８とで構成してある。ここで、ＣＣＦＬ用電源７Ａ，７Ｂは、２個のＣＣＦＬ管１Ａ，１Ｂに対応させて２個設けてあり、電源電圧を所定の高電圧に昇圧するＡＣ／ＡＣインバータと、当該ＡＣ／ＡＣインバータで昇圧した高電圧に基づき所定の高周波数の電圧を生成するＣＣＦＬ励起電源とを兼備する同構成の電源である。また、ＬＥＤ用電源８は、交流の電源電圧を所定の直流電圧に変換するＡＣ／ＤＣインバータである。
【００３７】
ＣＣＦＬ用電源７Ａ，７ＢおよびＬＥＤ用電源８は配線９Ａ，９Ｂによりそれぞれコンセント６に接続してある。さらに、ＣＣＦＬ用電源７Ａは配線１２Ａ、１２Ｂを介してＣＣＦＬ管１Ａの電極ピン１０Ａ，１０Ｂに接続されている。ここで、配線１２Ａ，１２Ｂはブッシング１５Ａ，１５Ｂを貫通することにより上面側から下面側に折り返されている。同様にＣＣＦＬ用電源７Ｂは、配線１３Ａ、１３Ｂを介してＣＣＦＬ管１Ｂの電極ピン１１Ａ，１１Ｂに接続されている。ここで、配線１３Ａ，１３Ｂはブッシング１６Ａ，１６Ｂを貫通することにより上面側から下面側に折り返されている。この結果、ＣＣＦＬ用電源７Ａ，７Ｂは基台３の上面でＸ軸方向に伸びる直線と該直線に沿い下面に向かい、かつ下面で上面のＸ軸に連続するＸ軸上でそれぞれ隣接して設けられている。このように本形態において、「電極ピン１０Ａ，１０Ｂに長手方向で隣接する」とは、基台３の下面側から上面側に回り込んで隣接している態様も含む。
【００３８】
かくして電極ピン１０Ａ，１０Ｂ間には配線１２Ａ，１２Ｂを介してＣＣＦＬ用電源７Ａの高周波数かつ高圧の交流電圧が印加される。また、電極ピン１１Ａ，１１Ｂ間には配線１３Ａ，１３Ｂを介してＣＣＦＬ用電源７Ｂの高周波数かつ高圧の交流電圧が印加される。この結果、高周波数かつ高圧の交流電流は、可及的な寸法の短縮化を実現し得る配線（１２Ａ，１２Ｂ）、（１３Ａ，１３Ｂ）を介してＣＣＦＬ用電源７Ａ，７Ｂから供給される。かくして、配線（１２Ａ，１２Ｂ）、（１３Ａ，１３Ｂ）を流れる負荷電流によるＣＣＦＬ管１Ａ，１Ｂに対する基台３を介しての悪影響を可及的に低減し得る。
【００３９】
一方、配線１４Ａはブッシング１７Ａを貫通することにより、配線１４Ｂはブッシング１７Ｂを貫通することにより、基台３の上面側から下面側へ折り返され、下面側でＬＥＤバーライト２の電極（図示せず）に接続されている。かくして、ＬＥＤ用電源８で生成した所定の直流電圧が、ＬＥＤバーライト２に印加される。この結果、ＬＥＤバーライト２をＣＣＦＬ管１Ａ，１Ｂの照度を補完する照明として利用し得る。
【００４０】
なお、ブッシング１５Ａ，１５Ｂ，１６Ａ，１６Ｂ，１７Ａ，１７Ｂは、可撓性の部材からなり、基台３のＸ軸方向に関する両端部に形成した孔に嵌入されている。
【００４１】
本形態に係る照明装置Iは、電位と紫外線を発生する放電管の一種であるＣＣＦＬ管を有するので、殺菌、消臭効果を有するものとして構成することもできる。すなわち、図１（ｃ）に示すように、基台３に配設されたＣＣＦＬ管１Ａ，１ＢおよびＬＥＤバーライト２（図１（ｃ）には図示せず）を覆う透明のカバー１８を基台３に取り付け、さらにカバー１８の外周面に抗菌剤を塗布して抗菌コーティング層１９を形成すれば良い。
【００４２】
なお、図１に示す本形態に係る照明装置Ｉでは、ＣＣＦＬ管１Ａ，１Ｂの数は２本、ＬＥＤバーライト２の数は１本としたがこれらの数は、任意である。当該照明装置Ｉに要求される照度に応じて適宜選定すれば良い。
【符号の説明】
【００４３】
Ｉ  照明装置
１Ａ，１Ｂ  ＣＣＦＬ管
２  ＬＥＤバーライト
３  基台
６  コンセント
７Ａ，７Ｂ  ＣＣＦＬ用電源
８  ＬＥＤ用電源
１０Ａ，１０Ｂ，１１Ａ，１１Ｂ  電極ピン
１２Ａ，１２Ｂ，１３Ａ，１３Ｂ，１４Ａ，１４Ｂ  配線
１８  カバー
１９  抗菌コーティング層
【図１】
0003224797.tif 000003
【図２】
0003224797.tif 000004